(57)【要約】【課題】洗濯物の取付けが容易で、マンションのベランダなどの天井に吊り下がった物干し竿に容易に取付けることができる物干し装置を提供すること。【解決手段】複数の物干し竿と、本体手段と、取付手段とを備える。前記物干し竿は洗濯物を干すことができる。前記本体手段は、一側面に前記物干し竿が並んで取付けられるように、前記物干し竿が挟み込まれる複数の係止溝が形成された一対の取付ブロックを備える。前記取付手段は、一端には前記本体手段に回転可能に結合することができる結合口と、他端には竿に着脱可能に取付けることができる取付口を備える。これにより、物干し竿に洗濯物を干した後に前記物干し竿を本体手段に取付けることができるので、洗濯物を容易に干すことができる。【選択図】図１
2017080369.tif 000002
【特許請求の範囲】
【請求項１】
洗濯物を干すことができる複数の物干し竿と、
一側面に前記物干し竿が並んで取付けられるように、前記物干し竿が挟み込まれる複数の係止溝が形成された一対の取付ブロックを備える本体手段と、
一端には前記本体手段に回転可能に結合することができる結合口と、他端には前記物干し竿に着脱可能に取付けることができる取付口とを備える取付手段とを備える
ことを特徴とする物干し装置。
【請求項２】
前記本体手段は、前記結合口が回転可能に挿入された連結棒を備え、前記一対の取付ブロックは、一端が前記連結棒を中心に回動可能に結合され、
前記一対の取付ブロックが前記連結棒を中心に一定の角度で回動して維持されるように、前記一対の取付ブロックを支持する支持手段を備える
請求項１に記載の物干し装置。
【請求項３】
前記取付ブロックは、前記一側面から他側面に貫通された貫通孔が形成されている
請求項１または２に記載の物干し装置。
【請求項４】
前記支持手段は、支持ブロックと、前記支持ブロックの両端に突起した固定部を備え、
前記取付ブロックは、前記他側面に前記固定部が挿入されて固定されるロック突起を備える
請求項３に記載の物干し装置。
【請求項５】
前記取付口は、前記物干し竿が挟まれ固定されるようにリング状に形成され、前記連結棒の長さ方向に回動しないように一定の厚さを有する
請求項２ないし４のいずれかに記載の物干し装置。
【請求項６】
前記支持ブロックは、ハンガーをかけることができるハンガー部が形成されている
請求項４または５に記載の物干し装置。
【請求項７】
前記ハンガー部は、前記支持ブロックの中央部において前記支持ブロックの一面から他面まで貫通された貫通窓と、ハンガーが滑ることを防止するために、前記ハンガーがかけられるように前記支持ブロックの一面に形成された溝を備える
請求項６に記載の物干し装置。
【発明の詳細な説明】
【技術分野】
【０００１】
本発明は、物干し装置に関し、詳細には、洗濯物を干すことが容易であり、マンションのベランダなどの天井から吊り下がった物干しの竿に容易に取り付けることができる物干し装置に関するものである。
【背景技術】
【０００２】
洗濯物の乾燥は、屋内またはベランダに配置された物干し台を使用して行われるが、従来の物干し台は、図６に示すように一対の脚１１と、前記脚１１に回動されて洗濯物を乾燥させる一対の乾燥手段１２で大きく構成されて、脚１１は、底面部がそれぞれ床面に支持され、上段は、乾燥手段１２にヒンジで連結される。また、一対の前記脚１１が両側方向に開く最大回動角を制御するために、その中心部連結部材１３で連結される。この連結部材１３も半分の領域が互いに回動できるように備えられる。
そして、乾燥手段１２には、一定の間隔ごとに物干し竿１４が備えられ、実質的に 物干し竿１４に洗濯物を掛けて洗濯物を干す。
また、一対の前記乾燥手段１２は、脚１１に対して上側または下側方向に回動される。ここで、乾燥手段１２の回動角度を制御できるように脚１１にヒンジで連結される間隔調節部材１５の上端が物干し竿１４に位置することになる。
【０００３】
従来の物干し台１０は、一対の乾燥手段１２、一対の脚１１、連結部材１３、および間隔調整部材１５などで構成されるので、その構成が複雑である。
また、従来の物干し台１０は、洗濯物を乾燥させるために一対の脚１１を広げた後に一対の乾燥手段１２を広げて間隔調整部材１５で乾燥手段１２を支持しなければならない。つまり、物干し台１０を広げて折りたたむのにいくつかのステップを踏むので、複雑であるという問題があった。
【発明の概要】
【発明が解決しようとする課題】
【０００４】
本発明は、上記の問題点を解決するため、マンションのベランダなどの天井から吊った物干しの竿に容易に取り付けて洗濯物を干すことができる物干し装置を提供することを課題とする。
【課題を解決するための手段】
【０００５】
本発明の物干し装置は、複数の物干し竿と本体手段と取付手段とを含む。前記物干し竿には洗濯物を干すことができる。前記本体手段は、一側面に前記物干し竿が並んで取り付けられるように、前記物干し竿が挟み込まれる複数の係止溝が形成された一対の取付ブロックを備える。前記取付手段は、一端には前記本体手段に回転可能に結合される結合口を、他端には竿に着脱可能に取付けられる取付口を備える。
【０００６】
また、前記物干し装置において、前記本体手段は、前記結合口が回転可能に挿入された連結棒をさらに備え、前記一対の取付ブロックは、一端が前記連結棒を中心に回動可能に結合されることが好ましい。この場合、前記物干し装置は、前記一対の取付ブロックが前記連結棒を中心に一定の角度で回動して維持されるように前記一対の取付ブロックを支持する支持手段をさらに含む。
【０００７】
また、前記物干し装置において、前記取付ブロックは、前記一側面から他側面に貫通された貫通孔より形成されたことが好ましい。
【０００８】
また、前記物干し装置において、前記支持手段は、支持ブロックと、前記支持ブロックの両端に突起した固定部とを備えることが好ましい。この場合、前記取付ブロックは、前記他側面に前記固定部が挿入されて固定されるためのロック突起を備える。
【０００９】
また、前記物干し装置において、前記取付口は、前記竿が挟まれて固定されるようにフック状に形成され、前記竿の長さ方向に回動しないように一定の厚さを有することが好ましい。
【００１０】
また、前記物干し装置において、前記支持ブロックは、ハンガーが掛けられるようにハンガー部が形成されることが好ましい。
【００１１】
また、前記物干し装置において、前記ハンガー部は、前記支持ブロックの中央部に前記支持ブロックの一面から他面まで貫通された貫通窓と、ハンガーが滑ることを防止するために、前記ハンガーが掛かるように前記支持ブロックの一面に形成された溝とを備えることが好ましい。
【発明の効果】
【００１２】
本発明によれば、物干し竿に洗濯物を干した後に前記物干し竿を本体手段に取付けることができるので、洗濯物を容易に干すことができる。
また、本発明によれば、取付手段の取付口をマンションのベランダなどに設置された物干し竿に着脱可能に取付けることができるので、本発明の物干し装置を容易に設置することができる。
【図面の簡単な説明】
【００１３】
【図１】本発明に係る物干し装置の一実施例の斜視説明図
【図２】図１に示された実施例の本体手段の分解斜視図
【図３】図１に示された実施例の取付ブロックを別の方向から見た斜視図
【図４】図１に示された実施例の取付ブロックを折り畳んだときの正面図
【図５】本発明に係る物干し装置に使用できる支持手段の他の例を示す斜視図
【図６】従来の物干し台の斜視図
【発明を実施するための形態】
【００１４】
図１〜４を参照して、本発明に係る物干し装置の一実施例を説明する。
本発明に係る物干し装置は、複数の物干し竿１１０と、本体手段１２０と、取付手段１３０と、支持手段１４０とを含む。
【００１５】
物干し竿１１０は、洗濯物を干すことができ、一般的な物干し台の洗濯物を干す竿と同様である。
【００１６】
本体手段１２０は、一対の取付ブロック１２１と連結棒１２７とを備える。取付ブロック１２１は、一端が連結棒１２７に回転可能に結合される。これにより、一対の取付ブロック１２１は、連結棒１２７を中心に回動可能に連結棒１２７に結合される。このとき、取付ブロック１２１は、一側面に物干し竿１１０が並んで取り付けられるように物干し竿１１０を挟み込む複数の係止溝１２２が形成され、中央には一側面から他側面まで貫通された貫通孔１２４が形成される。物干し竿１１０を取付ブロック１２１に取り付けたり、取り外したりする場合、取付ブロック１２１の中央に貫通孔１２４が存在しないと、使用者の手が取付ブロック１２１にぶつかって不便である。このため、貫通孔１２４は、手が入るようして、物干し竿１１０を取付ブロック１２１に取り付けまたは取り外しを行う際に手が取付ブロック１２１にぶつからないようにする。そして、取付ブロック１２１は、他側面にロック突起１２６を備える。ロック突起１２６は、支持手段１４０の固定部１４３が挿入され、固定部１４３を固定する役割をする。
【００１７】
取付手段１３０は、マンションのベランダの天井などに設置された竿に、本実施例の物干し装置を取付ける役割を果たし、このため、結合口１３１と取付口１３３とを備える。
結合口１３１は、連結棒１２７に回転可能に挿入されて連結棒１２７に結合される。取付口１３３は、竿に着脱可能にフック状に形成される。このとき、取付口１３３は、竿が取付けられている場合、竿の長さ方向に取付手段１３０が回転しないように取付口１３３の幅が一定の大きさを有する。そして、取付口１３３は、突出部１３３ａのようにフックが中心からより突出することが好ましい。取付口１３３に竿が挿入される場合、取付口１３３の幅が広く、突出部１３３ａのように中心からより突出して竿を囲めば、取付手段１３０は、竿の長さ方向には回転しない。このため、取付口１３３の幅は、取付手段１３０に取付けられた竿の長さ方向に取付け手段１３０が回転しないように十分に広くしなければならない。
【００１８】
支持手段１４０は、一対の取付ブロック１２１が一定の角度で広がったままに維持されるように取付ブロック１２１を支持する。このため、支持ブロック１４１と、固定部１４３を備える。固定部１４３は、ロック突起１２６に挿入されるように支持ブロック１４１の両端に突起する。したがって、支持ブロック１４１の一端に突起した固定部１４３が、いずれかの取付ブロック１２１に形成されたロック突起１２６に挿入され、支持ブロック１４１の他端に突起した固定部１４３が他の取付ブロック１２１に形成されたロック突起１２６に挿入されると、支持ブロック１４１が一対の取付ブロック１２１を支持して取付ブロック１２１が一定の角度で開いたまま維持される。
【００１９】
一方、支持ブロック１４１にハンガーなどをかけることができる場合、本実施例の物干し装置に、より多くの洗濯物を干すことができる。この場合、支持ブロック１４１は、図５に示すようにハンガーをかけることができるハンガー部が形成されてもよい。ハンガー部は、ハンガーを支持ブロック１４１にかけるように貫通窓１４１ａと溝１４１ｂを備える。溝１４１ｂは、ハンガーが支持ブロック１４１で滑ることを防止するためにハンガーがかけられるように支持ブロック１４１の一面に形成される。本実施例の場合は、溝１４１ｂが形成されているが、ハンガーが滑ることを防止する突起などで形成されてもよい。貫通窓１４１ａは、溝１４１ｂにハンガーをかける際にハンガーの頭部が挿入されるように支持ブロック１４１の一面から他面まで貫通される。支持ブロック１４１が平板に形成される場合、貫通窓１４１ａが存在しないと、ハンガーの頭部のためハンガーをかけることができない。もし、支持ブロック１４１が、厚さの薄い棒などで形成される場合には、貫通窓１４１ａはなくてもよい。
【００２０】
本実施例の場合、取付口１３３をマンションのベランダなどの天井に吊り下げる物干し竿に取付ける。このとき、取付口１３３は、一定の厚さの幅を有するので、取付口１３３に取付けられた竿の長さ方向には回転しない。
【００２１】
取付ブロック１２１から分離された物干し竿１１０にタオルや靴下などの洗濯物を干して、物干し竿１１０を取付ブロック１２１の係止溝１２２に挿入させる。物干し竿１１０を取付ブロック１２１から分離することができるので、容易に物干し竿１１０に洗濯物を干してから取付ブロック１２１に取付けることができる。また、本実施例の場合、取付ブロック１２１は、連結棒１２７を中心に回動することができるので、本実施形態の物干し装置を使用しない時は、支持ブロック１４１の一端に位置する固定部１４３をロック突起１２６  から分離させれば、図４に示すように取付ブロック１２１を折り畳むことができる。したがって、保管が容易である。
【符号の説明】
【００２２】
１１０：物干し竿
１２０：本体手段
１２１：取付ブロック
１２２：係止溝
１２４：貫通孔
１２６：ロック突起
１２７：連結棒
１３０：取付手段
１３１：結合口
１３３：取付口
１４０：支持手段
１４１：支持ブロック
１４３：固定部
【図１】
2017080369.tif 000003
【図２】
2017080369.tif 000004
【図３】
2017080369.tif 000005
【図４】
2017080369.tif 000006
【図５】
2017080369.tif 000007
【図６】
2017080369.tif 000008